(57)【特許請求の範囲】
【請求項１】
輝度変数Ｙと色差変数ＵＶで表される色空間ＹＵＶを他の色空間ＹＵ’Ｖ’に変換する色補正器を含み、
前記色補正器は、
色空間ＹＵＶと、
前記色空間ＹＵＶが変形される変形色空間ＹＵ’Ｖ’と、
前記色空間の中の補正対象領域から選択される補正対象基準点Ａが前記色空間ＹＵＶの中で投影される第１平面Ｕ１Ｖ１と、
前記第１平面Ｕ１Ｖ１にＹ方向に離隔し前記補正対象基準点Ａが前記色空間ＹＵＶの中で投影される第２平面Ｕ２Ｖ２と、
前記補正対象基準点Ａが前記色空間ＹＵ’Ｖ’の中で投影され投影点座標Ｙが前記第１平面Ｕ１Ｖ１のＹ座標と同じである第１変形平面Ｕ１’Ｖ’１と、
前記補正対象基準点Ａが前記色空間ＹＵ’Ｖ’の中で投影され投影点座標Ｙが前記第２平面Ｕ２Ｖ２のＹ座標と同じである第２変形平面Ｕ’２Ｖ’２とを形成し、
前記色補正器は、座標（Ｙ１，Ｕ１，Ｖ１）を座標（Ｙ１，Ｕ’１，Ｖ’１）に変換し、座標（Ｙ２，Ｕ２，Ｖ２）を座標（Ｙ２，Ｕ’２，Ｖ’２）に変換し、前記座標（Ｙ１，Ｕ１，Ｖ１）と前記座標（Ｙ２，Ｕ２，Ｖ２）とに基づく座標から、前記座標（Ｙ１，Ｕ’１，Ｖ’１）と前記座標（Ｙ２，Ｕ’２，Ｖ’２）とに基づく座標に前記補正対象基準点Ａの座標の変換を実行する
映像の色補正装置。
【請求項２】
前記第１平面Ｕ１Ｖ１と前記第２平面Ｕ２Ｖ２とは、複数の平面の内から選択され、
前記第１平面Ｕ１Ｖ１のＹ座標は、前記複数の平面の内で前記補正対象基準点Ａの座標Ｙより大きく、且つ、前記補正対象基準点Ａの座標Ｙに最も近い座標Ｙを持つ平面であり、
前記第２平面Ｕ２Ｖ２のＹ座標は、前記複数の平面の内で前記補正対象基準点Ａの座標Ｙより小さく、且つ、前記補正対象基準点Ａの座標Ｙに最も近い座標Ｙを持つ平面である
請求項１に記載の映像の色補正装置。
【請求項３】
前記座標（Ｙ１，Ｕ’１，Ｖ’１）と前記座標（Ｙ２，Ｕ’２，Ｖ’２）とは、前記第１変形平面Ｕ’１Ｖ’１のうち前記補正対象基準点Ａが投影された第１投影点Ａ１を含む第１局所座標系と、前記第２変形平面Ｕ’２Ｖ’２のうち前記補正対象基準点Ａが投影された第２投影点Ａ２を含む第２局所座標系とでそれぞれに定義されている
請求項１又は２に記載の映像の色補正装置。
【請求項４】
前記座標（Ｙ１，Ｕ’１，Ｖ’１）は、比例変換により、座標（ｋ１・Ｕ１，ｊ１・Ｖ１）で表され、前記座標（Ｙ２，Ｕ’２，Ｖ’２）は、比例変換により、座標（ｋ１・Ｕ２，ｊ１・Ｖ２）で表され、前記比例定数ｋ１，ｋ２とｊ１，ｊ２は前記第１局所座標系と前記第２局所座標系に固有である
請求項３に記載の映像の色補正装置。
【請求項５】
前記座標（Ｙ１，Ｕ１，Ｖ１）と前記座標（Ｙ２，Ｕ２，Ｖ２）とに基づく座標から、前記座標（Ｙ１，Ｕ’１，Ｖ’１）と前記座標（Ｙ２，Ｕ’２，Ｖ’２）とに基づく座標への前記変換は、前記座標（Ｙ１，Ｕ’１，Ｖ’１）と前記座標（Ｙ２，Ｕ’２，Ｖ’２）との平均化である
請求項１又は２に記載の映像の色補正装置。
【請求項６】
前記平均化は加重平均である
請求項５に記載の映像の色補正装置。
【請求項７】
前記点Ａは、前記色空間ＹＵＶの内の任意の点である
請求項１〜６から選択される１請求項に記載の映像の色補正装置。
【請求項８】
色空間ＹＵＶを形成すること、
前記色空間ＹＵＶを変形して変形色空間ＹＵ’Ｖ’を形成すること、
前記色空間ＹＵＶの中の補正対象領域から補正対象基準点Ａを選択すること、
第１平面Ｕ１Ｖ１を前記色空間ＹＵＶの中から選択すること、
前記第１平面Ｕ１Ｖ１からＹ軸方向に離隔する第２平面Ｕ２Ｖ２を前記色空間ＹＵＶの中から選択すること、
前記補正対象基準点Ａを座標Ｙが前記第１平面Ｕ１Ｖ１と同じである第１変形平面Ｕ１’Ｖ’１の第１投影点に投影すること、
前記補正対象基準点Ａを座標Ｙが前記第２平面Ｕ２Ｖ２と同じである第２変形平面Ｕ’２Ｖ’２の第２投影点に投影することとを含み、
前記第１投影点の座標は、前記第１投影点を含む第１変形平面Ｕ１’Ｖ’１の局所座標系で（Ｙ１，Ｕ’１，Ｖ’１）で表され、前記第２投影点の座標は、前記第２投影点を含む第２変形平面Ｕ２’Ｖ’２の局所座標系で（Ｙ２，Ｕ’２，Ｖ’２）で表され、
前記補正対象基準点Ａの座標を座標（Ｙ１，Ｕ’１，Ｖ’１）と座標（Ｙ２，Ｕ’２，Ｖ’２）とに基づいて算出することを更に含む
映像の色補正方法。
【請求項９】
前記算出することは、座標（Ｙ１，Ｕ’１，Ｖ’１）と座標（Ｙ２，Ｕ’２，Ｖ’２）とを平均化することである
請求項８に記載の映像の色補正方法。
【請求項１０】
前記平均化することは、座標（Ｙ１，Ｕ’１，Ｖ’１）と座標（Ｙ２，Ｕ’２，Ｖ’２）との加重平均である
請求項９に記載の映像の色補正方法。
【請求項１１】
前記補正対象基準点の選択はユーザーにより実行される
請求項８又は９に記載の映像の色補正方法。
【請求項１２】
前記補正対象基準点は肌色の領域に含まれている
請求項８〜１１から選択される１請求項に記載の映像の色補正方法。
【発明の詳細な説明】
【０００１】
【発明の属する技術分野】
本発明は、映像の色補正装置、及び、映像の色補正方法に関し、特に、中間色を的確に補正することができる映像の色補正装置、及び、映像の色補正方法に関する。
【０００２】
【従来の技術】
ＣＲＴ画面上に表示されるカラー画像を再現するためのＲＧＢ信号は、その画面上で表示される信号として作成されている。そのＲＧＢ信号を用いて別の種類の画面、即ち、非ＣＲＴ画面上に表示した画像の色調は、意図されている色調と異なる。非ＣＲＴ画面として、液晶画面、液晶プロジェクタ画面、プラズマ画面が知られいる。意図される色を再生するためには、ＣＲＴ画面用信号から非ＣＲＴ画面用信号に補正変換することが行われている。
【０００３】
２次元面ｘｙで表現される色度空間上で、ＲＧＢを結ぶ三角形の形状が異なるので、表現できない色の範囲が元々存在する。このことは、表示デバイスに固有であり、その改善は不可能である。ＣＲＴと異なる表示デバイスでは、ＲＧＢが異なれば、その中間的色合いも目的の色と異なってしまう。特に、肌色で代表される中間色は、非ＣＲＴデバイスでは本来の色と異なる色合いになってしまう。色空間上で与えられている点の全てで独立に色補正することは、計算量が膨大になって現実的には有効でない。
【０００４】
本来の色あいに近い色を表現する信号補正が現実的に有効であることが求められる。特に、肌色のような中間的色合いについて、その補正が現実的に有効であることが望まれる。
【０００５】
【発明が解決しようとする課題】
本発明の課題は、本来の色あいに近い色を表現する信号補正が現実的に有効であり、実質的な色補正を実現することができる映像の色補正装置、及び、映像の色補正方法を提供することにある。
本発明の他の課題は、肌色のような中間的色合いについてその補正が現実的に有効であり、実質的な色補正を実現することができるる映像の色補正装置、及び、映像の色補正方法を提供することにある。
【０００６】
【課題を解決するための手段】
その課題を解決するための手段が、下記のように表現される。その表現中に現れる技術的事項には、括弧（）つきで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００７】
本発明による映像の色補正装置は、輝度変数Ｙと色差変数ＵＶで表される色空間ＹＵＶを他の色空間ＹＵ’Ｖ’に変換する色補正器（２）を含み、色補正器（２）は、色空間ＹＵＶと、色空間ＹＵＶが変形される変形色空間ＹＵ’Ｖ’と、色空間の中の補正対象領域から選択される補正対象基準点Ａが色空間ＹＵＶの中で投影される第１平面Ｕ１Ｖ１（ＵＶ−１）と、第１平面Ｕ１Ｖ１（ＵＶ−１）にＹ方向に離隔し補正対象基準点Ａが色空間ＹＵＶの中で投影される第２平面Ｕ２Ｖ２（ＵＶ−２）と、補正対象基準点Ａが色空間ＹＵ’Ｖ’の中で投影され座標Ｙが第１平面Ｕ１Ｖ１（ＵＶ−１）と同じである第１変形平面Ｕ１’Ｖ’１（Ｕ’Ｖ’−１）と、補正対象基準点Ａが色空間ＹＵ’Ｖ’の中で投影され座標Ｙが第２平面Ｕ２Ｖ２（ＵＶ−２）と同じである第２変形平面Ｕ’２Ｖ’２（Ｕ’Ｖ’−２）とを形成し、色補正器（２）は、座標（Ｙ１，Ｕ１，Ｖ１）［図７では、（Ｙ１，Ｘｄ１，Ｙｄ１）］を座標（Ｙ１，Ｕ’１、Ｖ’１）［図７では、（Ｙ１，Ｘｄ１’，Ｙｄ１’）］に変換し、座標（Ｙ２，Ｕ２，Ｖ２）［図７では、（Ｙ２，Ｘｄ２，Ｙｄ２）］を座標（Ｙ２，Ｕ’２，Ｖ’２）［図７では、（Ｙ２，Ｘｄ２’，Ｙｄ２’）に変換し、座標（Ｙ１，Ｕ１，Ｖ１）と座標（Ｙ２，Ｕ２，Ｖ２）とに基づく座標から、前記座標（Ｙ１，Ｕ’１，Ｖ’１）と前記座標（Ｙ２，Ｕ’２，Ｖ’２）とに基づく座標に補正対象基準点Ａの座標の変換を実行する。第１平面Ｕ１Ｖ１と第２平面Ｕ２Ｖ２とは、複数（３以上）の平面（Ｕ’Ｖ’−１〜ｎ、図６ではｎとして４が例示されている）の内から選択される。第１平面Ｕ１１Ｖ１は、その複数の平面の内で補正対象基準点Ａの座標Ｙより大きく、且つ、補正対象基準点Ａの座標Ｙに最も近い座標Ｙを持つ平面であり、第２平面Ｕ２Ｖ２は、その複数の平面の内で補正対象基準点Ａの座標Ｙより小さく、且つ、補正対象基準点Ａの座標Ｙに最も近い座標Ｙを持つ平面である。このような平面の選択により、よりすぐれた補正が可能であり、任意の補正対象基準点について適正な色補正が可能である。３次元成分を持つ入力信号である補正対象基準点Ａは、入力時と計算過程では、３次元空間上で連続的に存在する任意の点として取り扱われる。
【０００８】
色空間の全体に亘る色補正を表現する変形色空間が縦横に非線形に変形されていて、更に、その非線形座標空間が多くの分割空間（例示：６×６＝３６）である非線形な局所的座標系に分割される。補正対象領域の補正対象基準点Ａが少なくとも２つの局所座標系に投影される２投影点の２座標が２局所的座標系で定義され、そのように定義された２座標に基づいて、改めて、補正対象基準点Ａの座標が再規定される。このような滑らかな補正により、肌色のような特定色が非線形補間的に微妙に好みの色に修正される。このような修正は、ユーザーによっても容易に可能である。
【０００９】
座標（Ｙ１，Ｕ’１、Ｖ’１）と座標（Ｙ２，Ｕ’２，Ｖ’２）とは、第１変形平面Ｕ’１Ｖ’１のうち補正対象基準点Ａが投影された第１投影点Ａ１を含む第１局所座標系と、第２変形平面Ｕ’２Ｖ’２のうち補正対象基準点Ａが投影された第２投影点Ａ２を含む第２局所座標系とでそれぞれに定義されている。座標（Ｙ１，Ｕ’１、Ｖ’１）は、比例変換により、座標（ｋ１・Ｕ１，ｊ１・Ｖ１）で表され、座標（Ｙ２，Ｕ’２、Ｖ’２）は、比例変換により、座標（ｋ１・Ｕ２，ｊ１・Ｖ２）で表され、比例定数ｋ１，ｋ２とｊ１，ｊ２は第１局所座標系と第２局所座標系に固有である。
【００１０】
座標（Ｙ１，Ｕ１，Ｖ１）と座標（Ｙ２，Ｕ２，Ｖ２）とに基づく座標から、座標（Ｙ１，Ｕ’１，Ｖ’１）と座標（Ｙ２，Ｕ’２，Ｖ’２）とに基づく座標への変換は、座標（Ｙ１，Ｕ’１，Ｖ’１）と座標（Ｙ２，Ｕ’２，Ｖ’２）との平均化である。平均化は加重平均であることが好ましい。補正対象基準点Ａとして複数点が選択され得る。この場合、肌色と緑色のような２色の局所的補正が可能である。
【００１１】
本発明による映像の色補正方法は、色空間ＹＵＶを形成すること、色空間ＹＵＶを変形して変形色空間ＹＵ’Ｖ’を形成すること、色空間ＹＵＶの中の補正対象領域から補正対象基準点Ａを選択すること、第１平面Ｕ１Ｖ１を色空間ＹＵＶの中から選択すること、第１平面Ｕ１Ｖ１からＹ軸方向に離隔する第２平面Ｕ２Ｖ２を色空間ＹＵＶの中から選択すること、補正対象基準点Ａを座標Ｙが前記第１平面Ｕ１Ｖ１と同じである第１変形平面Ｕ１’Ｖ’１の第１投影点に投影すること、補正対象基準点Ａを座標Ｙが第２平面Ｕ２Ｖ２と同じである第２変形平面Ｕ’２Ｖ’２の第２投影点に投影することとから構成されている。第１投影点の座標は、第１投影点を含む第１変形平面Ｕ１’Ｖ’１の局所座標系で（Ｙ１，Ｕ’１，Ｖ’１）で表され、第２投影点の座標は、第２投影点を含む第２変形平面Ｕ２’Ｖ’２の局所座標系で（Ｙ２，Ｕ’２，Ｖ’２）で表され、補正対象基準点Ａの座標を座標（Ｙ１，Ｕ’１，Ｖ’１）と座標（Ｙ２，Ｕ’２，Ｖ’２）とに基づいて算出する。
【００１２】
算出することは、座標（Ｙ１，Ｕ’１，Ｖ’１）と座標（Ｙ２，Ｕ’２，Ｖ’２）とを平均化して非線形に補間補正することである。平均化することは、座標（Ｙ１，Ｕ’１，Ｖ’１）と座標（Ｙ２，Ｕ’２，Ｖ’２）との加重平均で実現することができる。補正対象基準点の選択はユーザーにより実行され得て、ユーザーの好みの色補正が特定色で可能であり、補正は補間的であって滑らかである。
【００１３】
【発明の実施の形態】
図に対応して、本発明による映像の色補正装置の実施の形態は、色表現変換器が色表現逆変換器とともに設けられている。その色表現変換器（マトリクス演算）１は、図１に示されるように、色補正回路２を介して、色表現逆変換器３に接続している。３色信号ＲＧＢが、色表現変換器１で受信され色表現変換器１に入力される。色表現変換器１は、３次元のＣＲＴ用色信号ＲＧＢを３次元の液晶表示用色信号ＹＵＶに変換する。色表現逆変換器３は、液晶表示用色信号ＹＵＶをＣＲＴ用色信号ＲＧＢに変換する。
【００１４】
ＹＵＶのうちの２変数ＵＶは、色差信号といわれ、図２に示されるように、２次元平面上の色空間の離散点座標を示す。ＹＵＶのうちの１変数Ｙは、その２次元平面に直交する座標軸上の離散点座標を示し、輝度を示す。任意の色は、輝度変数Ｙと２つの色差変数ＵＶとの３変数で規定される。理論的には、ＲＧＢとＹＵＶとは等価・同値であるが、現実のデバイスでそれぞれに再現される色合いは、異なっている。
【００１５】
図３は、色補正回路２の色補正方法を示している。輝度色差空間ＹＵＶの局所的領域面（Ｙ＝一定）上で、補正位置点が選択的に定められて抽出される（ステップＳ１）。その補正位置点は、肌色領域に含まれている。このように選択的に抽出された補正位置点で、輝度色差空間ＹＵＶの２変数ＵＶの値が局所的に修正・補正され、補正後の２変数ＵＶの値が出力される（ステップＳ２）。その補正に対応して、補正位置点の周囲の広範囲で、３変数ＹＵＶが補間的に補正される（ステップＳ３）。
【００１６】
図４は、ステップＳ１を示している。複数のＵＶ平面、即ち、Ｙ軸方向（輝度方向）に離隔する複数枚（図示枚数は４）のＵＶ平面が選択的に採択される。ステップＳ１で抽出された補正位置点（丸印）は、図４中にＡで示されている。点Ａは、採択された４枚のＵＶ平面のうちの隣り合う２つの平面ＵＶ−１，ＵＶ−２の間にある。点Ａは、図５に示されるように、点Ａを挟む２平面ＵＶ−１，ＵＶ−２にそれぞれに直射投影（Ｙ軸に平行に投影）される。点Ａが投影されている２平面ＵＶ−１，ＵＶ−２は、それぞれに、既述の離散点を含む四角形状の多くのメッシュを含んでいる。平面ＵＶ−１上の投影点を含むメッシュは、４点（ａ０，ｂ０，ｃ０，ｄ０）で囲まれる四角形面である。平面ＵＶ−２上の投影点を含むメッシュは、４点（ａ１，ｂ１，ｃ１，ｄ１）で囲まれる四角形面上に位置している。１つの四角形内には、多くの離散点が含まれている。
【００１７】
図５に示されるように、点Ａが平面ＵＶ−１に投影された第１投影点はＡ１で示され、点Ａが平面ＵＶ−２に投影された第２投影点はＡ２で示されている。第１投影点Ａ１は、４点枠（ａ０，ｂ０，ｃ０，ｄ０）の中の離散点座標により、（Ｘｄ１，Ｙｄ１）で表されている。第２投影点Ａ２は、４点枠（ａ１，ｂ１，ｃ１，ｄ１）の中の離散点座標により、（Ｘｄ２，Ｙｄ２）で表されている。今の場合、Ｘｄ１＝Ｘｄ２，Ｙｄ１＝Ｙｄ２である。
【００１８】
２点ａ０，ｂ０の間の距離（Ｖ方向距離）がＸｐ１で表され、２点ａ０，ｃ０の間の距離（Ｕ方向距離）がＹｐ１で表され、２点ａ１，ｂ１の間の距離がＸｐ２で表され、２点ａ１，ｃ１の間の距離がＹｐ２で表されれば、座標（Ｘｄ１，Ｙｄ１）と座標（Ｘｄ２，Ｙｄ２）は、それぞれの局所座標系で、比座標（Ｘｄ１／Ｘｐ１，Ｙｄ１／Ｙｐ１）と比座標（Ｘｄ２／Ｘｐ２，Ｙｄ２／Ｙｐ２）により表され得る。
【００１９】
輝度色差空間ＹＵＶは、既述の表現形式によれば、２投影点に関して、
Ａ１＝（Ｙ１，Ｘｄ１／Ｘｐ１，Ｙｄ１／Ｙｐ１）、
Ａ２＝（Ｙ２，Ｘｄ２／Ｘｐ２，Ｙｄ２／Ｙｐ２）
で表される。
【００２０】
図６は、図４の２つの連続平面ＵＶ−１，ＵＶ−２が変形された変形平面Ｕ’Ｖ’−１，Ｕ’Ｖ’−２を示している。平面の変形は、Ｙ軸方向には変形されない。このような平面変形の変換は、各平面上で座標線が直線から曲線に変換され、ゲージ変換といわれる。連続平面ＵＶ−１，ＵＶ−２のそれぞれのＹ座標は、変形平面Ｕ’Ｖ’−１，Ｕ’Ｖ’−２のＹ座標に等しい。このような変換は、２変数ｘ，ｙについて、（ｘ’，ｙ’）＝（ｆ１（ｘ，ｙ），ｆ２（ｘ，ｙ））で表される非線形変換（ゲージ変換）である。
【００２１】
この段階で、Ｙの値は変わっていない。このような局所的座標変換は、予測的に、又は、試行錯誤的に、ＣＰＵ制御又はつまみの人為的回転により実行される（ＴＶセットの色調整つまみの回転による色合わせに類似。但し、これは大域的。）。投影点Ａ１’，Ａ２’の座標値は、図７（ａ），（ｂ），（ｃ），（ｄ）に示されるように、そのメッシュ（局所座標系）上で、
Ａ１’＝（Ｙ１，Ｘｄ１’，Ｙｄ１’），
Ａ２’＝（Ｙ２，Ｘｄ２’，Ｙｄ２’）
に変換される。局所座標系の原点は、変形前の大域的座標系の原点に等しくて不都合はない。変形後の比座標では、その変形後のメッシュで、
Ａ１’＝（Ｙ１，Ｘｄ１’／Ｘｐ１’，Ｙｄ１’／Ｙｐ１’）、
Ａ２’＝（Ｙ２，Ｘｄ２’／Ｘｐ２’，Ｙｄ２’／Ｙｐ２’）
に変換される。
【００２２】
この場合、例えば、
Ｘｄ１’／Ｘｐ１’＝ｋ（Ｘｄ１／Ｘｐ１）
Ｙｄ１’／Ｙｐ１’＝ｋ（Ｙｄ１／Ｙｐ１）
Ｘｄ２’／Ｘｐ２’＝ｋ（Ｘｄ２／Ｘｐ２）
Ｙｄ２’／Ｙｐ２’＝ｋ（Ｙｄ２／Ｙｐ２）
のような一様な比例変換が行われ得る。このような変換は、局所的に（そのメッシュ内で）、原点からＸ軸（Ｕ軸）とＹ軸（Ｖ軸）が等比的に膨張又は収縮する変換である。更に、原点座標（Ｘ，Ｙ）は、各メッシュごとに、
Ｘ’＝Ｘ＋ΔＸ，Ｙ’＝Ｙ＋ΔＹ
のような平行移動変換が行われ得る。従って、新座標は、全体座標系で、各メッシュごとに、
Ｘ’＝Ｘ＋ΔＸ＋ｋ（Ｘｄ１／Ｘｐ１）Ｘｐ１＝Ｘ＋ΔＸ＋ｋ・Ｘｄ１
のような一律の変換が行われる。
【００２３】
輝度色差空間ＹＵＶで、２平面の間の点Ａの座標は、中間点であれば、図８に示されるように、次のように定義されてＡ’に補正される。
0003673716.tif 000002
この補正は例示であり、他の補正として相乗平均補正が可能である。点Ａが２平面の中間点でない場合は、整数ｍとｎみより、次式の補正が有効である。
Ａ’＝（ｍＡ１’＋ｎＡ２’）／（ｍ＋ｎ）
【００２４】
このように、１矩形内の多数の離散点上の色補正は、比率Ｘｄ１’／Ｘｐ１’，Ｙｄ１’／Ｙｐ１’、Ｘｄ１’／Ｘｐ２’，Ｙｄ２’／Ｙｐ２’が一定比率で１矩形矩形内の全離散点について実行される。全点について補正は一様に（線形に）行われるので、計算量が膨大にならずにすむ。
【００２５】
色補正回路２は、Ａ→Ａ’の変換を実行する。視覚的に認識される肌色からずれた疑似肌色の画素領域の信号ＹＵＶが選択的に抽出される。その抽出は、肌色を形成しているＲＧＢ又はＹＵＶの１点を選択し、理想的な肌色が得られるまで、ＣＰＵがＹＵＶのＹとＵとＶを（Ｙ＋ΔＹ）と（Ｕ＋ΔＵ）と（Ｖ＋ΔＶ）に順次に組み合わせ的に変化させる（ΔＹとΔＵとΔＶを順次に変化させる）。ＹとＵとＶの３つの色調整つまみにより人為的に試行錯誤的に色調整を行うことが可能である。
【００２６】
３次元色空間の中の平面上の既述の２次元座標変換は、特定点Ａが任意の座標点として採択され、その特定点が補正基準点になって、色空間の座標変換が行われている。その補正基準点は、入力時には補正対象基準点を表す３次元連続数としての入力信号であり、計算過程では連続数として取り扱われる。補正後の最終的な出力信号は、３次元空間上の有限個のデジタル値に変換される。そのＡ／Ｄ変換の際には、例えば、ＤＶＤコンポーネント信号の場合、ＲＧＢに関してそれぞれに８ビット、合計２４ビットの信号があり、その入力可能信号の個数は２の２４乗である。
【００２７】
【発明の効果】
本発明による映像の色補正装置、及び、映像の色補正方法は、色空間の局所的領域を補間的に補正することにより、肌色・中間色のような特定色について的確にその補正を有効化することができる。
【図面の簡単な説明】
【図１】図１は、色補正の一般的回路を示す回路ブロック図である。
【図２】図２は、一般的な色差座標を示す３次元座標系である。
【図３】図３は、本発明による映像の色補正方法の実施の形態を示すフローチャートである。
【図４】図４は、本発明による映像の色補正方法の実施の形態の平面を示す３次元座標系である。
【図５】図５は、図４の特定点の投影を示す２次元座標系である。
【図６】図６は、図５の座標系を変形させた３次元座標系である。
【図７】図７（ａ），（ｂ），（ｃ），（ｄ）は、変換後の局所座標系（メッシュ）をそれぞれに示す２次元座標系である。
【図８】図８は、中間点補正を示す３次元座標系である。
【符号の説明】
２…色補正器
ＵＶ−１…第１色差平面
ＵＶ−２…第２色差平面
Ａ…点（抽出点）
Ａ１…第１投影点
Ａ２…第２投影点
【図１】
0003673716.tif 000003
【図２】
0003673716.tif 000004
【図３】
0003673716.tif 000005
【図４】
0003673716.tif 000006
【図５】
0003673716.tif 000007
【図６】
0003673716.tif 000008
【図７】
0003673716.tif 000009
【図８】
0003673716.tif 000010